(57)【要約】      （修正有）【課題】使用者がより快適に使用できると共に、使用に際しての安全性を向上させることができる文房具ケースを提供する。【解決手段】収納部内に文房具を収容するケース本体部と、回動可能に接合されて収納部を開閉する蓋部とを備え、ケース本体部の側面部には磁石部が配設され、磁石部に当接する蓋部の当接部位に磁着体が設けられている文房具ケースであって、蓋部は、当接部位において、芯材４１を厚さ方向に貫通する孔部と、孔部に芯材の表側または裏側のいずれか一側方から挿通される雌部材４０１と、いずれか他側方から孔部に挿通されて雌部材に対して圧入される雄部材４０２とにより構成される磁着体４ｂを備え、雌部材と雄部材は、その一方が他方に相対的に圧入されることにより相互に潰れ変形して芯材に固定され、表側表皮材４２及び裏側表皮材４３が、潰れ変形後の磁着体をそれぞれ被覆する。【選択図】図６
0003231581.tif 000002
【実用新案登録請求の範囲】
【請求項１】
底面部と、前記底面部の全周縁部に設けられた側面部とにより形成され、前記側面部により形成される開口部を備えた収納部を有し、前記開口部を介して前記収納部内に文房具を収容できるケース本体部と、板状の芯材と、前記芯材の表側を被覆する表側表皮材および前記芯材の裏側を被覆する裏側表皮材とを有し、前記側面部に回動可能に接合されて前記収納部を開閉する蓋部とを備え、
前記ケース本体部の前記側面部には、磁石部が配設されているとともに、前記蓋部の閉止時に前記磁石部に当接する前記蓋部の当接部位には、前記磁石部に磁気吸着する磁着体が設けられ、
前記磁着体が前記磁石部に磁気吸着した場合には、前記蓋部が前記収納部を閉塞させた状態で前記ケース本体部に固定される一方、前記磁着体の前記磁石部への磁気吸着を解消した場合には、前記当接部位が前記ケース本体部から離間して前記収納部が開放される文房具ケースであって、
前記蓋部は、前記当接部位において、前記芯材を厚さ方向に貫通して開設された孔部と、前記孔部に前記芯材の表側または裏側のいずれか一側方から挿通される雌部材と、前記芯材の表側または裏側のいずれか他側方から前記孔部に挿通されて前記雌部材に対して圧入される雄部材とにより構成される前記磁着体を備え、
前記雌部材および前記雄部材は、その一方が他方に相対的に圧入されることにより相互に潰れ変形して前記芯材に固定され、前記表側表皮材及び裏側表皮材は、それぞれ、潰れ変形後の前記磁着体を、表側及び裏側から被覆して配置されることを特徴とする文房具ケース。
【請求項２】
前記ケース本体部は、薄型直方体に形成されているとともに、前記開口部が長方形状に形成され、
前記蓋部は、前記側面部の上端部に設けられた上方蓋部と、前記側面部の下端部に設けられ、前記底面部の裏側に設けられた他の収納部を開閉する下方蓋部とにより構成され、
前記上方蓋部および下方蓋部は、前記収納部の平面形状と同形状であって、前記側面部のうち、前記全周縁部の一方の長辺部に当たる部位に夫々回動可能に接合されているとともに、前記磁石部は、前記側面部のうち、前記全周縁部の他方の長辺部に当たる部位に配設されていることを特徴とする請求項１記載の文房具ケース。
【請求項３】
前記雄部材は、前記芯材の表側から前記孔部に挿入されて配置されているとともに、前記雌部材は、前記芯材の裏側から前記孔部に挿入されて配置され、
前記雌部材は、前記孔部の径寸法よりも大径に形成された円盤状基部と、前記円盤状基部に突出形成され、前記孔部の径寸法よりも大径に形成された軸部とを有し、
前記雄部材は、前記孔部の径寸法よりも大径に形成された基部と、前記基部に突設され、前記軸部の内径よりも大きな径寸法を有する圧入軸部とを有することを特徴とする
請求項１記載の文房具ケース。
【請求項４】
前記円盤状基部は、厚さ方向に円弧状に膨出して形成され、前記雄部材の圧入による潰れ変形により、前記芯材の裏面方向へ突出して配置され、芯材裏方向へ膨出する前記磁石部への吸着部を形成することを特徴とする
請求項３記載の文房具ケース。
【請求項５】
前記磁着体は、前記磁石部に対して平面方向に変位し、平面視において部分的に当接するように配設されていることを特徴とする請求項１記載の文房具ケース。
【考案の詳細な説明】
【技術分野】
【０００１】
本考案は、文房具の収納部が形成されたケース本体部に対し、この収納部を閉塞させる蓋部を磁気吸着により固定可能とした文房具ケースの改良に関する。
【背景技術】
【０００２】
磁着式の蓋付き文房具ケースでは、ケース本体部に磁石部が設けられ、この磁石部に対して蓋部に取り付けられた磁着体を磁気吸着させることにより、蓋部をケース本体部に対して固定し、文房具ケースに収められた文房具が持ち運び等の際に収納部から脱落することを防止するように構成されている。
従来、蓋部の磁着体は、キャッチングプレートと称する平面略長方形状であって側方断面コ字状に形成された金属プレートにより形成されており、表皮材で被覆された蓋部の開放側端部の長辺部中央において表皮材上に装着され、蓋部の前縁部を上下から挟み込むようにして取り付けられるのが一般的であった（特許文献１）。
【先行技術文献】
【特許文献】
【０００３】
【特許文献１】公開実用昭和５３−８１１５５号公報
【考案の概要】
【考案が解決しようとする課題】
【０００４】
このような従来の文房具ケースにあっては、上記キャッチングプレートは蓋部の前縁部を表皮材上から挟持して取り付けられているが、使用者が蓋部を開閉する際に金属製のキャッチングプレートの縁または角が使用者の指に当たり、その結果、使用者に不快感等を与える可能性があり、この種の文房具ケースは児童に使用されるものであり、安全性の観点から何らかの改良が望まれていた。
【０００５】
このような実情に鑑み、本考案は、使用者がより快適に使用できると共に、使用に際しての安全性を向上させることができる文房具ケースを提供することを目的とする。
【課題を解決するための手段】
【０００６】
請求項１記載の本考案に係る文房具ケースは、底面部と、底面部の全周縁部に設けられた側面部とにより形成され、側面部により形成される上方に開口する開口部を備えた収納部を有し、開口部を介して収納部内に文房具を収容できるケース本体部と、板状の芯材と、芯材の表側を被覆する表側表皮材および芯材の裏側を被覆する裏側表皮材とを有し、側面部に回動可能に接合されて収納部を開閉する蓋部とを備え、ケース本体部の側面部には、磁石部が配設されているとともに、蓋部の閉止時に磁石部に当接する蓋部の当接部位には、磁石部に磁気吸着する磁着体が設けられ、磁着体が磁石部に磁気吸着した場合には、蓋部が収納部を閉塞させた状態でケース本体部に固定される一方、磁着体の磁石部への磁気吸着を解消した場合には、当接部位がケース本体部から離間して収納部が開放される文房具ケースであって、蓋部は、当接部位において、芯材を厚さ方向に貫通して開設された孔部と、孔部に芯材の表側または裏側のいずれか一側方から挿通される雌部材と、芯材の表側または裏側のいずれか他側方から孔部に挿通されて雌部材に対して圧入される雄部材とにより構成される磁着体を備え、雌部材および雄部材は、その一方が他方に相対的に圧入されることにより相互に潰れ変形して芯材に固定され、前記表側表皮材及び裏側表皮材は、それぞれ、潰れ変形後の前記磁着体を表側及び裏側から被覆して配置されることを特徴とする。
【０００７】
請求項２記載の考案にあっては、ケース本体部は、薄型直方体に形成されているとともに、開口部が長方形状に形成され、蓋部は、側面部の上端部に設けられた上方蓋部と、側面部の下端部に設けられ、底面部の裏側に設けられた他の収納部を開閉する下方蓋部とにより構成され、上方蓋部および下方蓋部は、収納部の平面形状と同形状であって、側面部のうち、全周縁部の一方の長辺部に当たる部位に夫々回動可能に接合されているとともに、磁石部は、側面部のうち、全周縁部の他方の長辺部に当たる部位に配設されていることを特徴とする。
【０００８】
請求項３記載の考案にあっては、雄部材は、芯材の表側から孔部に挿入されて配置されているとともに、雌部材は、芯材の裏側から孔部に挿入されて配置され、雌部材は、孔部の径寸法よりも大径に形成された円盤状基部と、円盤状基部に突出形成され、孔部の径寸法よりもやや大径に形成された軸部とを有し、雄部材は、孔部の径寸法よりも大径に形成された基部と、基部に突設され、軸部の内径よりも大きな径寸法を有する圧入軸部とを有することを特徴とする。
【０００９】
請求項４記載の考案にあっては、円盤状基部は、厚さ方向に円弧状に膨出して形成され、雄部材の圧入による潰れ変形により、芯材の裏面方向へ突出して配置され、芯材裏方向へ膨出する磁石部への吸着部を形成することを特徴とする。
【００１０】
請求項５記載の考案にあっては、磁着体は、磁石部に対して平面方向に変位し、平面視において部分的に当接するように配設されていることを特徴とする。
【考案の効果】
【００１１】
本考案によれば、蓋部に設けられる磁着体を、芯材に開設された孔部に対して芯材の一側方から挿通される雌部材と、他側方から挿通される雄部材とにより構成し、雌部材と雄部材とを、その一方を他方に相対的に圧入することにより、相互に潰れ変形させて芯材に固定することにより、磁着体を芯材に確実に固定し、蓋部の開閉を幾度に亘って繰り返した場合にあっても磁着体に容易にがたつきが生じたり、ずれが生じたりするのを回避することが可能である。
【００１２】
また、表側表皮材及び裏側表皮材により、潰れ変形後の磁着体を被覆するように配置したことにより、従来のように、金属製のキャッチングプレートにより形成された蓋部の磁着体が表側で表面に露出することがないため、蓋部の開閉時に、金属製の磁着体の縁または角に使用者の指が当たる事態を回避することができ、安全性が高く、快適に使用できる文房具ケースを提供することができる。また、キャッチングプレートを廃止することができるため、外観品質も良好な文房具ケースを提供することができる。
【００１３】
更に、芯材の裏側に配置される雌部材（特に円盤状基部）を裏側表皮材により被覆することにより、蓋部の磁着体（特に雌部材の円盤状基部）とケース本体部の磁石部との間に裏側表皮材が介在することとなり、蓋部の開閉時に磁着体が磁石部に衝突することにより生じる音を軽減することが可能である。
一方で、前記のように、磁着体を、雌部材及び雄部材を、その一方を他方に相対的に圧入することにより、相互に潰れ変形させて芯材に固定することにより構成していることから、磁着部位が、蓋部厚さ方向に沿って所定寸法に形成されるため、裏側表皮材により磁着体を被覆した場合であっても、従来の金属製のキャッチングプレートからなる磁着体の場合と同様に、磁着体の磁着力を確保させることができる。
【００１４】
さらに、前記効果に加えて、蓋部を、底面部の一側、即ち、表側に形成された収納部を閉塞させる上方蓋部と、他側、即ち、裏側に形成された他の収納部を閉塞させる下方蓋部とにより構成し、上方蓋部および下方蓋部を、収納部の平面形状と同形状として、側面部のうち、全周縁部の一方の長辺部に当たる部位に夫々回動可能に接合するとともに、磁石部を、全周縁部の他方の長辺部に当たる部位に配設したことにより、収納部と他の収納部とのそれぞれに文房具を収容可能であることから、利便性の高い文房具ケースを提供することができる。
【００１５】
また、雄部材を芯材の表側から孔部に挿入する一方、雌部材を芯材の裏側から孔部に挿入する配置とするとともに、雌部材には、円盤状基部および軸部を、雄部材には、基部および圧入軸部を夫々形成し、雌部材の円盤状基部と雄部材の基部とを、いずれも孔部の径寸法よりも大径に形成したことにより、円盤状基部および基部により芯材を上下から挟持し、芯材に対して磁着体を確実かつ容易に固定することが可能となる。
【００１６】
さらに、雄部材に形成される圧入軸部の径寸法を雌部材に形成される軸部の内径よりも大径にしたことにより、雄部材の圧入軸部を雌部材の軸部に圧入し、圧入軸部と軸部とを相互に潰れ変形させた場合に、両者を緊密かつ強固に結合し、芯材に対して磁着体をより確実に固定することが可能となる。その結果、経年時に、多数回の蓋部の開閉動作が行われた場合であっても、磁着体の芯材への強固な固定状態を維持することができる。
【００１７】
更に、磁石部に対し、磁着体を平面方向に変位して配置させ、平面視において部分的に当接させるように配設したことにより、磁着体の着磁力を調整し、蓋部を適度な着磁力で開閉することが可能となる。例えば、磁着体の着磁力を、持ち運び等に際して簡単には開くことのない範囲で、使用者である子どもの力で蓋部を開閉するのに固すぎない程度の適当な強さに調整することができる。
【図面の簡単な説明】
【００１８】
【図１】図１は、本考案の一実施形態に係る文房具ケースの平面図であり、文房具ケースの表側の外観を示す。
【図２】図２は、同上実施形態に係る文房具ケースの側面図である。
【図３】図３は、同上実施形態に係る文房具ケースの平面図であり、文房具ケースの表側に設けられた上方蓋部を開いた状態を示す。
【図４】図４は、同上実施形態に係る文房具ケースの底面図であり、文房具ケースの裏側の外観を、文房具ケースの裏側に設けられた下方蓋部を開いた状態で示す。
【図５】図５は、同上実施形態に係る文房具ケースに用いられる磁着体（雌部材、雄部材）の側面図である。
【図６】図６は、同上実施形態に係る磁着体の、下方蓋部に対する取付手順を示す説明図である。
【図７】図７は、同上実施形態に係る磁着体の、上方蓋部に対する取付手順を示す説明図である。
【考案を実施するための形態】
【００１９】
以下に図面を参照して、本考案の実施の形態について説明する。
【００２０】
図１は、本考案の一実施形態に係る文房具ケース１の全体的な構成を示す平面図である。図２は、本実施形態に係る文房具ケース１の側面図であり、図３は、文房具ケース１を上方から見た図であり、図４は、文房具ケース１を下方から見た図である。図３は、文房具ケース１を、その上方蓋部３を開いた状態で示し、図４は、文房具ケース１を、その下方蓋部４を開いた状態で示す。
【００２１】
図２から４を適宜に参照しながら、本実施形態に係る文房具ケース１について、図１により説明する。
【００２２】
本実施形態では、文房具ケース１を、子どもが学校または家庭等で教材として使用する鉛筆またはペン、消しゴムおよび定規等の文房具セットを収納する収納具として具現する場合について説明する。
【００２３】
しかしながら、文房具ケース１は、これに限らず、大人等、子ども以外の年齢層を対象とした収納具として具現することが可能であり、さらに、文房具セットではなく、鉛筆またはペンのみを収納する収納具や、定規のみを収納する収納具等、特定の文房具の収納を目的とした収納具として具現することも可能である。
【００２４】
文房具ケース１は、ケース本体部２と、ケース本体部２の上下各側に設けられた一対の蓋部３、４とを備える。
【００２５】
ケース本体部２は、文房具を収納可能な収納部２１を備え、収納部２１は、大まかには、平板状の底面部２１１と、底面部２１１の全周縁部に設けられた側面部２１２とにより形成され、側面部２１２によりその上端縁周縁部により形成される開口部を介して収納部２１に文房具を収納することが可能である。
【００２６】
本実施形態において、ケース本体部２は、薄型直方体に形成され、収納部２１として、ケース本体部２の表側に形成された表側収納部２１ａと、裏側に形成された裏側収納部２１ｂとを有する。
具体的には、表側収納部２１ａは、図３に示すように、底面部２１１と、側面部２１２のうち、底面部２１１の外周縁部にその全体に亘って上向きに延設された部分とにより形成され、側面部２１２の上端周縁部により長方形状の開口部が形成される。
他方で、裏側収納部２１ｂは、図４に示すように、底面部２１１と、側面部２１２のうち、底面部２１１の外周縁部にその全体に亘って下向きに延設された部分とにより形成され、側面部２１２の下端周縁部により同じく長方形状の開口部が形成される。
【００２７】
本実施形態において、表側収納部２１ａは、複数の空間に分割して形成されており、異なる文房具の収納に対応可能である。具体的には、表側収納部２１ａは、鉛筆の収納を主な目的とする第１空間Ｓ１と、消しゴムの収納を主な目的とする第２空間Ｓ２と、その他の文房具の収納を目的とする第３空間Ｓ３とに分割されている。これらの空間Ｓ１からＳ３は、収納対象物である文房具の大きさに合わせてその広さおよび深さが適宜に設定されている。
【００２８】
他方で、図４に示す裏側収納部２１ｂは、複数に分割されておらず、定規の収納を主な目的とする単一の空間Ｓ４として形成されている。表側収納部２１ａだけでなく、表側収納部２１ａと裏側収納部２１ｂとの双方を複数の空間に分割することも可能であるし、表側収納部２１ａに代えて裏側収納部２１ｂを分割することも可能である。
【００２９】
上下一対の蓋部３、４は、所定間隔を置いて形成された一対の折曲部３ａ、４ａが中間部に設けられた全体合成樹脂製の一枚の方形状の板材として形成されており、折曲部３ａ、４ａの間に形成される部位がケース本体部２の側面部２１２に固定されることにより、残余の部位が折曲部３ａ、４ａを介して開閉可能な一対の蓋部３、４として構成されている。
即ち、蓋部３、４のうち、ケース本体部２の上側に配置される上方蓋部３は側面部２１２の一方の長辺部の上端縁全体に沿って折曲部３ａが形成されて、ケース本体部２の表側収納部２１ａを開閉するように、折曲部３ａを中心として回動可能に形成されている。
他方で、ケース本体部２の下側に配置される下方蓋部４はケース本体部２の裏側収納部２１ｂを開閉するように、折曲部４ａを中心として回動可能に形成されている。
【００３０】
図６及び図７に示すように、下方蓋部４及び上方蓋部３は、板状の芯材４１、３１と、芯材４１、３１の表側を被覆する表側表皮材４２、３２と、芯材４１、３１の裏側を被覆する裏側表皮材４３、３３とを有する。
即ち、下方蓋部４及び上方蓋部３は、芯材４１、３１をその裏側表皮材４３、３３及び表側表皮材４２、３２により被覆されており、裏側表皮材４３、３３及び表側表皮材４２、３２は全周縁部において熱溶着により互いに接合されている。下方蓋部４及び上方蓋部３の構成については後に図６および７を参照してさらに説明する。なお、芯材４１、３１に適用可能な材料は、例えば、紙製板材である。
【００３１】
図３に示すように、ケース本体部２の側面部２１２には、下方蓋部４及び上方蓋部３が接合される長辺部（即ち、折曲部４ａ、３ａ）と対向する他方の長辺部には、磁石部２ａが配設されている。磁石部２ａの構成は、磁石吸着式の従来の文房具ケースないし筆箱に採用されるものと同様であり、ここでの詳細な説明を省略する。
下方蓋部４及び上方蓋部３には、これらの蓋部４、３を閉じた際に磁石部２ａに当接する蓋部４、３の当接部位に、磁石部２ａに磁気吸着可能な磁着体４ｂ、３ｂが設けられている。
本実施の形態にあっては、磁着体４ｂ、３ｂは金属等の磁性材から作製されており、図３に示すように、平面円形状に形成されている。
【００３２】
蓋部４、３は、磁着体４ｂ、３ｂがケース本体部２の磁石部２ａに磁気吸着することにより、蓋部４、３が収納部２１ｂ、２１ａを閉塞させた状態でケース本体部２に固定される。他方で、磁着体４ｂ、３ｂを磁石部２ａから離して磁着体４ｂ、３ｂの磁石部２ａへの磁気吸着を解消することにより、蓋部４、３の当接部位がケース本体部２から離間し、収納部２１ｂ、２１ａが開放される。
【００３３】
図３は、上方蓋部３に備わる磁着体３ｂが変位して配置されていることを示し、上方蓋部３を閉じた状態での磁着体３ｂの位置を、点線により示す。
図３に示すように、本実施形態において、磁着体３ｂ、４ｂは、蓋部３、４が閉じた状態でいずれも磁石部２ａに対して平面方向に変位して配置され、磁石部２ａに対し、平面視において半円部で部分的に当接するように配設されている。
【００３４】
具体的には、磁着体３ｂ、４ｂは、平面細長長方形状に形成された磁石部２ａに対し、磁石部２ａが備わる側面部２１２の長辺部に対して平面方向において垂直な方向に、より具体的には、収納部２１ａ、２１ｂの内方に変位して配置され、その結果、磁着体３ｂ、４ｂは、磁石部２ａに対して、その径方向におけるほぼ半分の領域で当接するように構成されている。
【００３５】
下方蓋部４及び上方蓋部３の断面を示す図６、７に示すように、磁石部２ａに対する当接部位において、芯材４１、３１には、芯材４１、３１の厚さ方向に貫通して開設され、磁着体４ｂ、３ｂが装着される孔部ｈが設けられている。
磁着体４ｂ、３ｂは、芯材４１、３１の表側または裏側のいずれか一側方、本実施形態では、芯材４１、３１の裏側から孔部ｈに挿通される雌部材４０１、３０１と、芯材４１、３１の表側または裏側のいずれか他側方、本実施形態では、芯材４１、３１の表側から孔部ｈに挿通され、雌部材４０１、３０１に対して圧入される雄部材４０２、３０２とにより構成される。
雌部材４０１、３０１および雄部材４０２、３０２は、雄部材４０２、３０２を雌部材４０１、３０１に対して圧入することにより相互に潰れ変形して互いに結合されるとともに、芯材４１、３１に固定される。
【００３６】
図６（Ｃ）に示すように、本実施の形態にあっては、下方蓋部４においては、芯材４１の表側に配置される雄部材４０２の基部４２１は表側表皮材４２により被覆されている。一方、図７（Ｂ）に示すように、上方蓋部３においては、芯材３１の表側に配置される雄部材３０２の基部３２１は表側表皮材３２によっては被覆されていない。
また、下方蓋部４においては、雌部材４０１の円盤状基部４１１が裏側表皮材４３により被覆される一方、上方蓋部３においては、雌部材３０１の円盤状基部３１１が裏側表皮材３３から外方へ露出して配置されている。
【００３７】
さらに、図２及び図７（Ｂ）に示すように、上方蓋部３には、装飾物３ｃが設けられている。本実施の形態にあっては、図７（Ａ）に示すように、装飾物３ｃは雄部材３０２の基部３２１の表面部にあらかじめ機械的に固定されており、装飾物３ｃを有する雄部材３０２が雌部材３０１に圧入固定されている。
【００３８】
図５は、本実施形態に係る磁着体３ｂ、４ｂとして文房具ケース１に用いられる（Ａ）雌部材３０１、４０１および（Ｂ）雄部材３０２、４０２の側面図である。
【００３９】
本実施形態において、上方蓋部３に設けられる磁着体３ｂと下方蓋部４に設けられる磁着体４ｂとは、同一の構成を有し、図５は、上方蓋部３の磁着体３ｂに備わる各部を示し、下方蓋部４の磁着体４ｂについては括弧内に対応する部分の符号を併記することで、説明の重複を回避する。
【００４０】
雌部材３０１、４０１は、芯材に形成される孔部ｈの径寸法よりも大径であり（外径Ｄａ２）、厚さ方向に円弧状に膨出して形成された円盤状基部３１１、４１１と、円盤状基部３１１、４１１に直交して突出形成された軸部３１２、４１２とを有し、雌部材３０１、４０１の軸部３１２、４１２は、孔部ｈの径寸法よりもやや大径に形成される。
【００４１】
これに対し、雄部材３０２、４０２は、孔部ｈの径寸法よりも大径であり（外径Ｄｂ２）、円盤状基部３１１、４１１よりも薄い一定の厚さ寸法をもって平板状に形成された基部３２１、４２１と、基部３２１、４２１に直交して突設された圧入軸部３２２、４２２とを有し、雄部材３０２、４０２の圧入軸部３２２、４２２は、軸部３１２、４１２の内径Ｄａ１よりも大きな径寸法Ｄｂ１を有する。
本実施形態では、雌部材３０１、４０１の円盤状基部３１１、４１１と軸部３１２、４１２とは、互いに同心に形成され、雄部材３０２、４０２の基部３２１、４２１と圧入軸部３２２、４２２とも、互いに同心に形成される。そして、軸部３１２、４１２の内径Ｄａ１は、孔部ｈの径寸法にほぼ等しく形成されている。
【００４２】
図６は、本実施形態に係る下方蓋部４における磁着体４ｂの芯材４１への取り付け手順を示す。
図６に示す磁着体４ｂの取付手順の第１工程では、先ず、図６（Ａ）に示すように、下方蓋部４の芯材４１に厚さ方向に貫通して形成された孔部ｈに対し、雌部材４０１と雄部材４０２とのそれぞれについて位置合わせを行う。具体的には、雌部材４０１に備わる軸部４１２の中心と孔部ｈの中心とを整列させるとともに、雄部材４０２に備わる圧入軸部４２２の中心と孔部ｈの中心とを整列させる。
第１工程では、芯材４１は、表側表皮材４２および裏側表皮材４３のいずれによっても被覆されていない。
【００４３】
次に、図６（Ｂ）に示す第２工程では、雌部材４０１の軸部４１２を芯材４１の孔部ｈに挿通させた後、雄部材４０２の圧入軸部４２２を雌部材４０１の軸部４１２に圧入する。雌部材４０１の軸部４１２と雄部材４０２の圧入軸部４２２とは、図５に示す径寸法の結果、圧入の過程で相互に潰れ変形し、雄部材４０２の圧入軸部４２２が雌部材４０１の軸部４１２に対して大きく径方向に変形することで、雌部材４０１と雄部材４０２とが互いに軸方向に結合されるとともに、芯材４１に固定される。
潰れ変形後の状態では、芯材４１は、孔部ｈ周辺の部分で雌部材４０１の円盤状基部４１１と雄部材４０２の基部４２１とにより挟持される。
【００４４】
次に、図６（Ｃ）に示す第３工程では、雌部材４０１の円盤状基部４１１を芯材４１の裏側から裏側表皮材４３により被覆するとともに、雄部材４０２の基部４２１を芯材４１の表側から表側表皮材４２により被覆する。これにより、雌部材４０１および雄部材４０２の双方が下方蓋部４の表皮材４２、４３により被覆される。
その後、裏側表皮材４３及び表側表皮材４２は、芯材４１を被覆するように配置された後、全周縁部において溶着固定することにより芯材４１に固定されるものである。
【００４５】
次に、図７に基づき、磁着体３ｂの上方蓋部３の芯材３１への取付手順を説明する。
図７（Ａ）に示すように、上方蓋部３の磁着体３ｂの取付手順の第１工程では、上方蓋部３を構成する芯材３１に、前記下方蓋部４の場合と同様の手順で、芯材３１に開設された孔部ｈに対して、雌部材３０１と雄部材３０２の位置合わせを行う。
具体的には、雌部材３０１に備わる軸部３１２の中心と孔部ｈの中心とを整列させるとともに、装飾物３ｃがあらかじめ基部３２１に固定された雄部材３０２に備わる圧入軸部３２２の中心と孔部ｈの中心とを整列させる。
図６に示す上方蓋部３における場合と異なる点は、芯材３１に関しては、表側表皮材３２及び裏側表皮材３３は芯材３１に対して、下方蓋部４における場合と同様の手法により予め固定されている。
【００４６】
次に、図７（Ｂ）に示す第２工程では、雌部材３０１の軸部３１２を芯材３１の孔部ｈに挿通させた後、雄部材３０２の圧入軸部３２２を雌部材３０１の軸部３１２に圧入する。
雌部材３０１の軸部３１２と雄部材３０２の圧入軸部３２２とは、図５に示す径寸法の結果、圧入の過程で相互に潰れ変形し、具体的には、雄部材３０２の圧入軸部３２２が雌部材３０１の軸部３１２と比較してより大きく径方向に変形、膨出することで、雌部材３０１と雄部材３０２とが互いに軸方向に結合されるとともに、芯材３１に固定される。
潰れ変形後の状態では、芯材３１、表側表皮材３２及び裏側表皮材３３が、孔部ｈ周辺の部分で雌部材３０１の円盤状基部３１１と雄部材３０２の基部３２１とにより挟持される。その結果、雌部材３０１及び装飾物３ｃは、夫々、裏側表皮材３３及び表側表皮材３２の外方に表出する。
本実施の形態にあっては、上方蓋部３に関しては、第２工程を以て磁着体３ｂの取り付け作業は完了する。
【００４７】
その結果、本実施形態では、下方蓋部４については雌部材４０１および雄部材４０２の双方が表皮材４２、４３により被覆されているが、上方蓋部３においては雌部材３０１は裏側表皮材３３の外方へ表出した状態で磁石部２ａへの吸着部を構成していると共に、装飾物３ｃは表側表皮材３２上に配置され、装飾的効果を発揮する。
【００４８】
本実施形態に係る文房具ケース１は、以上のように構成される。本実施形態により得られる効果について、以下に述べる。
【００４９】
本実施形態では、蓋部４、３に設けられる磁着体４ｂ、３ｂを、蓋部４、３の芯材４１、３１に開設された孔部ｈに対して芯材の一側方から挿通される雌部材４０１、３０１と、他側方から挿通される雄部材４０２、３０２とにより構成し、その一方を他方に相対的に、本実施形態では、雄部材４０２、３０２を雌部材４０１、３０１に対して圧入することによりこれらの部材を相互に潰れ変形させて芯材に固定したことで、磁着体２ａを芯材４１、３１にしっかりと固定することができるため、蓋部４、３の開閉を長期間に亘って繰り返した場合にあっても磁着体４ｂ、３ｂに容易にがたつきが生じたり、ずれが生じたりする事態を回避することができる。
【００５０】
そして、下方蓋部４及び上方蓋部３において、従来のように、平面長方形状であって側方断面コ字状に形成された金属製のキャッチングプレートに代えて、雄部材４０２、３０２を雌部材４０１、３０１に対して圧入することによりこれらの部材を相互に潰れ変形させて芯材４１、３１に固定することにより磁着体４ｂ、３ｂを形成し、かつ、下方蓋部４においては、表側表皮材４２及び裏側表皮材４３により磁着体４ｂを完全に被覆するように構成されていることから、磁着体４ｂが外部に全く露出せず、下方蓋部４の開閉時に従来の磁着体であるキャッチングプレートの角に使用者の指が当たる事態を解消することができる。
また、上方蓋部３においては、円盤状基部３１１及び装飾物３ｃは表出するが、円盤状基部３１１及び装飾物３ｃ以外の部位に関しては、全て表側表皮材３２及び裏側表皮材３３により被覆されていることから、上方蓋部３の開閉時に従来の磁着体であるキャッチングプレートの角に使用者の指が当たる事態を解消することができる。
その結果、使用者は安全かつ快適に使用することができ、かつ、外観品質も良好な文房具ケース１を提供することができる。
【００５１】
更に、下方蓋部４の芯材４１の裏側に配置される雌部材４０１の円盤状基部４１１を裏側表皮材４３により被覆した結果、下方蓋部４の雌部材４０１の円盤状基部４１１とケース本体部２の磁石部２ａとの間に裏側表皮材４３が介在することとなり、下方蓋部４の開閉時に磁着体４ｂが磁石部２ａに衝突することにより生じる音を軽減することが可能となる。
【００５２】
一方で、磁着体４ｂ、３ｂを、雌部材４０１、３０１及び雄部材４０２、３０２の一方を他方に相対的に圧入することにより、相互に潰れ変形させて芯材４１、３１に固定することにより構成していることから、磁着部位が、蓋部４、３の厚さ方向に沿って所定寸法に形成されるため、下方蓋部４において裏側表皮材４３により磁着体４ｂを被覆した場合であっても、従来の金属製のキャッチングプレートからなる磁着体の場合と同様に、磁着体４ｂの磁着力を確保させることができる。
【００５３】
他方で、上方蓋部３においては、雌部材３０１の円盤状基部３１１を裏面側に厚さ方向に円弧状に膨出させて形成し、雄部材３０２の圧入による潰れ変形後、芯材３１の裏面方向に突出させて配置するとともに、裏側表皮材３３により被覆されない円盤状基部３１１により芯材裏方向へ膨出する磁石部２ａへの吸着部を形成したことにより、磁石部２ａに対して円盤状基部３１１を直接に接触させることができるため、磁石部２ａの吸着力を、表皮材により被覆した場合よりも大きく生じさせて、ケース本体部２に対して上方蓋部３を確実に固定することが可能となる。
その結果、文房具ケース１の持ち運び等に際に、児童が上方蓋部３のみを把持して持ち運ぶ場合も想定されるが、上方蓋部３の磁着力が大きいことから、このような事態においても上方蓋部３が開放されることのない文房具ケース１を提供することが可能となる。
【００５４】
さらに、本実施形態では、磁石部２ａに対し、磁着体４ｂ、３ｂを平面方向に変位させて配置し、磁石部２ａに対し、平面視において半円部において部分的に当接させるように配設したことで、磁着体４ｂ、３ｂの着磁力を調整し、蓋部４、３を適切な着磁力で開閉することが可能となる。
即ち、磁着体の着磁力を、持ち運び等に際して簡単には開くことのない範囲で、使用者である子どもの力で蓋部３、４を開閉するのに固すぎない程度の強さに調整することができる。
【００５５】
また、上方蓋部３にあっては、雄部材３０２に固定された装飾物３ｃが使用者により目視可能されることから、文房具ケース１の外観品質を向上させことが可能となる。
【００５６】
本実施形態では、蓋部３、４を、底面部２１１の一側、即ち、表側に形成された収納部２１ａを閉塞させる上方蓋部３と、裏側に形成された他の収納部２１ｂを閉塞させる下方蓋部４とにより構成し、上方蓋部３および下方蓋部４を、収納部２１ａ、２１ｂの平面形状と同形状として、側面部２１２のうち、全周縁部の一方の長辺部に当たる部位に夫々回動可能に接合するとともに、磁石部２ａを、全周縁部の他方の長辺部に当たる部位に配設したことで、収納部２１ａと他の収納部２１ｂとのそれぞれに文房具を収容可能として、利便性の高い文房具ケース１を提供することができる。
【００５７】
本考案の構成は、上記実施の形態には限定されず、適宜、本考案の構成の範囲内において変更ことが可能である。
【符号の説明】
【００５８】
１…文房具ケース
２…ケース本体部
３…上方蓋部
４…下方蓋部
２ａ…磁石部
３ａ、４ａ…折曲部
３ｂ、４ｂ…磁着体
３ｃ…装飾物
２１、２１ａ、２１ｂ…収納部
２１１…底面部
２１２…側面部
３０１、４０１…雌部材
３１…芯材
４１…芯材
３１１、４１１…円盤状基部
３１２、４１２…軸部
３０２、４０２…雄部材
３２１、４２１…基部
３２２、４２２…圧入軸部
３２…表側表皮材
３３…裏側表皮材
４２…表側表皮材
４３…裏側表皮材
Ｓ１、Ｓ２、Ｓ３、Ｓ４…収納部の空間
ｈ  …孔部
【図１】
0003231581.tif 000003
【図２】
0003231581.tif 000004
【図３】
0003231581.tif 000005
【図４】
0003231581.tif 000006
【図５】
0003231581.tif 000007
【図６】
0003231581.tif 000008
【図７】
0003231581.tif 000009